(57)【要約】【課題】口腔内の電荷に着目して、人間の健康の維持を図る。【解決手段】頬の内面及び歯（金属が配設されている歯）に各々接触される第１端子１５ａ及び第２端子１５ｂと、両端子１５ａ，１５ｂ間の電位差の少なくとも正負を判定する電位差判定手段と、第１端子１５ａと第２端子１５ｂとを接続して両端子１５ａ，１５ｂ間に電流が流れるようにする放電手段とを有し、その放電手段は、第１端子１５ａと接続される第１出力端子６７ａと、第２端子１５ｂと接続される第２出力端子６７ｂとを有し、第１端子１５ａの電位よりも第２端子１５ｂの電位の方が高い／低いと判定された場合には、第１出力端子６７ａが正／負で第２出力端子６７ｂが負／正となる電圧を出力する状態と第１出力端子６７ａ及び第２出力端子６７ｂがほぼ同電位となる状態とを交互に切り換える電圧出力手段（パルス発生器）６７を有する。【選択図】図２
2006255238.tif 000002
【特許請求の範囲】
【請求項１】
人体の基準部位及び当該人体の口腔内の被処理部位に各々接触される第１端子及び第２端子と、
前記第１端子と前記第２端子とを接続して、前記第１端子と前記第２端子との間に電流が流れるようにする放電手段と
を有する、口腔内放電装置。
【請求項２】
請求項１に記載の口腔内放電装置であって、
さらに、前記両端子間の電位差の少なくとも正負を判定する電位差判定手段を有し、
前記放電手段は、
前記第１端子と接続される第１出力端子と、前記第２端子と接続される第２出力端子とを有し、前記電位差判定手段によって前記第１端子の電位よりも前記第２端子の電位の方が高い場合と判定された場合には、前記第１出力端子が正で前記第２出力端子が負となる電圧を出力し、前記電位差判定手段によって前記第１端子の電位よりも前記第２端子の電位の方が低いと判定された場合には、前記第１出力端子が負で前記第２出力端子が正となる電圧を出力する電圧出力手段を有する、
口腔内放電装置。
【請求項３】
請求項１に記載の口腔内放電装置であって、
前記放電手段は、
前記第１端子と接続される第１出力端子と、前記第２端子と接続される第２出力端子とを有し、前記第１出力端子が正及び負のうちの一方で前記第２出力端子が正及び負のうちの他方となる電圧を出力する電圧出力手段を有する、
口腔内放電装置。
【請求項４】
請求項１に記載の口腔内放電装置であって、
さらに、前記両端子間の電位差の少なくとも正負を判定する電位差判定手段を有し、
前記放電手段は、
前記第１端子と接続される第１出力端子と、前記第２端子と接続される第２出力端子とを有し、前記電位差判定手段によって前記第１端子の電位よりも前記第２端子の電位の方が高いと判定された場合には、前記第１出力端子が正で前記第２出力端子が負となる電圧を出力する状態と前記第１出力端子及び前記第２出力端子がほぼ同電位となる状態とを交互に切り換え、前記電位差判定手段によって前記第１端子の電位よりも前記第２端子の電位の方が低いと判定された場合には、前記第１出力端子が負で前記第２出力端子が正となる電圧を出力する状態と前記第１出力端子及び前記第２出力端子がほぼ同電位となる状態とを交互に切り換える電圧出力手段を有する、
口腔内放電装置。
【請求項５】
請求項１に記載の口腔内放電装置であって、
前記放電手段は、
前記第１端子と接続される第１出力端子と、前記第２端子と接続される第２出力端子とを有し、前記第１出力端子が正及び負のうちの一方で前記第２出力端子が正及び負のうちの他方となる電圧を出力する状態と前記第１出力端子及び前記第２出力端子がほぼ同電位となる状態とを交互に切り換える電圧出力手段を有する、
口腔内放電装置。
【請求項６】
請求項１〜請求項５のいずれかに記載の口腔内放電装置であって、
前記両端子間の電位差を表示する電位差表示手段を有する、
口腔内放電装置。
【発明の詳細な説明】
【技術分野】
【０００１】
本発明は、人間の口腔内に蓄積される電荷に着目した装置に関する。
【背景技術】
【０００２】
通常においては、人体における電位差（電位が最低の部位と最高の部位との間の電位差）は５０ｍＶ程度以内であるとされている。すなわち、人体では、その範囲内の電位差の信号が神経を通ることによって、各器官の制御が行われている。
【０００３】
ところで、人間の歯の治療等のために、歯（口腔内）に金属が配設されることがしばしば行われている。
そして、その場合（特にアマルガム等の金属が配設された場合）には、その金属に電荷が蓄積して、その歯（その金属）と他の部位との間には所定以上に大きな電位差（例えば、３００ｍＶ等）が生ずる場合があることが判明されている。
このような場合には、肩こり等が発生する等、人体の健康に悪影響があると考えられている。
【発明の開示】
【発明が解決しようとする課題】
【０００４】
本発明は、人間の口腔内に蓄積される電荷に着目して、人間の健康を維持することができる発明を提供することを課題とする。
【課題を解決するための手段】
【０００５】
上記の課題を解決するために、請求項１に係る発明は、人体の基準部位及び当該人体の口腔内の被処理部位に各々接触される第１端子及び第２端子と、前記第１端子と前記第２端子とを接続して、前記第１端子と前記第２端子との間に電流が流れるようにする放電手段とを有する、口腔内放電装置である。
【０００６】
「第１端子と第２端子とを接続する」の代表例として、「第１端子及び第２端子とも接地（アース）する」がある。なお、その際、直接的に接地する場合に限らず、抵抗を介して接続する場合もあり得る。
また、両端子間に、両端子の電位差の正負とは逆の電圧を出力する電圧出力手段を介する場合もあり得る。その際、その電圧出力手段については、当該電圧を定常的に出力する場合に限らず間欠的に出力する場合もあり得る。
【０００７】
この発明の口腔内放電装置では、第１端子が基準部位に接触し第２端子が被処理部位に接触した状態で、放電手段によって、第１端子と第２端子とが接続され、第１端子と第２端子との間に電流が流れるようにされる。こうして、被処理部位に蓄積された電荷が放電され、被処理部位の電位が基準部位の電位と同一又はほぼ同一とされる。
このようにして、この発明の口腔内放電装置では、基準部位と被処理部位との間の電位差が低くされ、その人体の健康の維持が図られる。
【０００８】
請求項２に係る発明は、請求項１に係る発明の口腔内放電装置であって、さらに、前記両端子間の電位差の少なくとも正負を判定する電位差判定手段を有し、前記放電手段は、前記第１端子と接続される第１出力端子と、前記第２端子と接続される第２出力端子とを有し、前記電位差判定手段によって前記第１端子の電位よりも前記第２端子の電位の方が高い場合と判定された場合には、前記第１出力端子が正で前記第２出力端子が負となる電圧を出力し、前記電位差判定手段によって前記第１端子の電位よりも前記第２端子の電位の方が低いと判定された場合には、前記第１出力端子が負で前記第２出力端子が正となる電圧を出力する電圧出力手段を有する、口腔内放電装置である。
【０００９】
「電圧出力手段」における「電圧を出力する」については、いずれも、「定常的に当該電圧を出力する」に限らず、「間欠的に当該電圧を出力する」も含まれるものとする。このことは、請求項３においても同様である。
【００１０】
この発明の口腔内放電装置では、第１端子が基準部位に接触し第２端子が被処理部位に接触した状態で、電位差判定手段によって両端子間の電位差の少なくとも正負が判定される。
そして、電圧出力手段（放電手段）における第１出力端子及び第２出力端子が各々第１端子及び第２端子に接続され、電位差判定手段によって第１端子の電位よりも第２端子の電位の方が高い／低いと判定された場合には、その電圧出力手段によって、第１出力端子が正／負で第２出力端子が負／正となる電圧が出力されるようにして、放電手段によって第１端子と第２端子とが接続される。
【００１１】
すなわち、電位差判定手段によって第１端子の電位よりも第２端子の電位の方が高いと判定された場合（被処理部位に正の電荷が蓄積されていると考えられる）には、電圧出力手段によって、第１出力端子が正で第２出力端子が負となる電圧が出力され、放電手段によって、第２端子→第２出力端子→第１出力端子→第１端子→第２端子→…と電流が流れるようにされる。
こうして、被処理部位に蓄積された正の電荷が放電され、被処理部位の電位が基準部位の電位と同一又はほぼ同一とされる。
【００１２】
一方、電位差判定手段によって第１端子の電位よりも第２端子の電位の方が低いと判定された場合（被処理部位に負の電荷が蓄積されていると考えられる）には、上述とは逆に、電圧出力手段によって、第１出力端子が負で第２出力端子が正となる電圧が出力され、放電手段によって、第１端子→第１出力端子→第２出力端子→第２端子→第１端子→…と電流が流れるようにされる。
こうして、被処理部位に蓄積された負の電荷が放電され、被処理部位の電位が基準部位の電位と同一又はほぼ同一とされる。
【００１３】
このようにして、この発明の口腔内放電装置では、基準部位と被処理部位との間の電位差が低くされ、その人体の健康の維持が図られる。
【００１４】
また、この発明の口腔内放電装置では、第１端子と第２端子とが単に接続されるのではなく、両端子間の電位差の正負が電位差判定手段によって判定され、その結果に応じて、両端子間の電位差の正負とは逆の電圧が出力されるようにして両端子が接続される。
このため、第１端子と第２端子とが単に接続される場合よりも、速い速度で放電される。こうして、この発明の口腔内放電装置では、被処理部位に蓄積された電荷を迅速に放電することができる。
【００１５】
請求項３に係る発明は、請求項１に係る発明の口腔内放電装置であって、前記放電手段は、前記第１端子と接続される第１出力端子と、前記第２端子と接続される第２出力端子とを有し、前記第１出力端子が正及び負のうちの一方で前記第２出力端子が正及び負のうちの他方となる電圧を出力する電圧出力手段を有する、口腔内放電装置である。
【００１６】
この発明の口腔内放電装置では、電圧出力手段（放電手段）における第１出力端子及び第２出力端子が各々第１端子及び第２端子に接続され、その電圧出力手段によって、第１出力端子が正及び負のうちの一方で第２出力端子が正又は負のうちの他方となる電圧が出力されるようにして、放電手段によって第１端子と第２端子とが接続される。
【００１７】
そして、第１出力端子が正で第２出力端子が負となる電圧が出力される態様の場合には、第１端子の電位よりも第２端子の電位の方が高い場合等において、第２端子→第２出力端子→第１出力端子→第１端子→第２端子→…と電流が流れるようにされ、被処理部位に正の電荷が蓄積されていた場合に、その電荷が放電される。
一方、第１出力端子が負で第２出力端子が正となる電圧が出力される態様の場合には、第１端子の電位よりも第２端子の電位の方が低い場合等において、第１端子→第１出力端子→第２出力端子→第２端子→第１端子→…と電流が流れるようにされ、被処理部位に負の電荷が蓄積されていた場合に、その電荷が放電される。
【００１８】
このように、この発明の口腔内放電装置では、被処理部位に正及び負のうちのいずれの電荷が蓄積されているということが予め判明している場合に、有効に、その電荷を放電することができる。
このようにして、この発明の口腔内放電装置では、基準部位と被処理部位との間の電位差が低くされ、その人体の健康の維持が図られる。
【００１９】
請求項４に係る発明は、請求項１に係る発明の口腔内放電装置であって、さらに、前記両端子間の電位差の少なくとも正負を判定する電位差判定手段を有し、前記放電手段は、前記第１端子と接続される第１出力端子と、前記第２端子と接続される第２出力端子とを有し、前記電位差判定手段によって前記第１端子の電位よりも前記第２端子の電位の方が高いと判定された場合には、前記第１出力端子が正で前記第２出力端子が負となる電圧を出力する状態と前記第１出力端子及び前記第２出力端子がほぼ同電位となる状態とを交互に切り換え、前記電位差判定手段によって前記第１端子の電位よりも前記第２端子の電位の方が低いと判定された場合には、前記第１出力端子が負で前記第２出力端子が正となる電圧を出力する状態と前記第１出力端子及び前記第２出力端子がほぼ同電位となる状態とを交互に切り換える電圧出力手段を有する、口腔内放電装置である。
【００２０】
この発明の口腔内放電装置では、第１端子が基準部位に接触し第２端子が被処理部位に接触した状態で、電位差判定手段によって両端子間の電位差の少なくとも正負が判定される。
そして、電圧出力手段（放電手段）における第１出力端子及び第２出力端子が各々第１端子及び第２端子に接続され、電位差判定手段によって第１端子の電位よりも第２端子の電位の方が高い／低いと判定された場合には、その電圧出力手段によって、第１出力端子が正／負で第２出力端子が負／正となる電圧が出力される状態と、第１出力端子及び第２出力端子がほぼ同電位となる状態とが交互に切り換えられるようにして、放電手段によって第１端子と第２端子とが接続される。
【００２１】
すなわち、電位差判定手段によって第１端子の電位よりも第２端子の電位の方が高いと判定された場合（被処理部位に正の電荷が蓄積されていると考えられる）には、電圧出力手段において、第１出力端子が正で第２出力端子が負となる電圧が出力される状態と、第１出力端子及び第２出力端子がほぼ同電位となる状態とが交互に切り換えられる。
そして、基本的にいずれの状態においても、第２端子→第２出力端子→第１出力端子→第１端子→第２端子→…と電流が流れる。
こうして、被処理部位に蓄積された正の電荷が放電され、被処理部位の電位が基準部位の電位と同一又はほぼ同一とされる。
【００２２】
一方、電位差判定手段によって第１端子の電位よりも第２端子の電位の方が低いと判定された場合（被処理部位に負の電荷が蓄積されていると考えられる）には、上述とは逆に、電圧出力手段において、第１出力端子が負で第２出力端子が正となる電圧が出力される状態と、第１出力端子及び第２出力端子がほぼ同電位となる状態とが交互に切り換えられる。
そして、基本的にいずれの状態においても、第１端子→第１出力端子→第２出力端子→第２端子→第１端子→…と電流が流れる。
こうして、被処理部位に蓄積された負の電荷が放電され、被処理部位の電位が基準部位の電位と同一又はほぼ同一とされる。
【００２３】
また、この発明の口腔内放電装置では、第１端子と第２端子とが単に接続されたり、単に両端子間の電位差の正負とは逆の電圧が出力されるようにして両端子が接続されるのではなく、両端子間の電位差の正負が電位差判定手段によって判定され、その結果に応じて、両端子間の電位差の正負とは逆の電圧が出力されるようにして両端子が接続される状態（第１の状態）と、そのような電圧が出力されずに両端子が接続される状態（第２の状態）とが交互に切り換えられる。
このため、第１の状態の時間帯においては、第２の状態の時間帯よりも、速い速度で放電がされる。このため、各状態の時間帯が調整されることによって、放電速度を容易に調整することができる。
また、第１の状態の時間帯において必要以上に電流が流れて被処理部位に当初とは正負が逆の電荷が蓄積されることになった場合においても、第２の状態の時間帯において、それまでとは逆方向に電流が流れ、当該正負が逆の電荷が放電される。
【００２４】
このようにして、この発明の口腔内放電装置では、基準部位と被処理部位との間の電位差が低くされ、その人体の健康の維持が図られる。
【００２５】
請求項５に係る発明は、請求項１に係る発明の口腔内放電装置であって、前記放電手段は、前記第１端子と接続される第１出力端子と、前記第２端子と接続される第２出力端子とを有し、前記第１出力端子が正及び負のうちの一方で前記第２出力端子が正及び負のうちの他方となる電圧を出力する状態と前記第１出力端子及び前記第２出力端子がほぼ同電位となる状態とを交互に切り換える電圧出力手段を有する、口腔内放電装置である。
【００２６】
この発明の口腔内放電装置では、電圧出力手段（放電手段）における第１出力端子及び第２出力端子が各々第１端子及び第２端子に接続され、その電圧出力手段において、第１出力端子が正及び負のうちの一方で第２出力端子が正又は負のうちの他方となる電圧が出力される状態（第１の状態）と、第１出力端子及び第２出力端子がほぼ同電位となる状態（第２の状態）とが交互に切り換えられるようにして、放電手段によって第１端子と第２端子とが接続される。
【００２７】
そして、第１の状態において第１出力端子が正で第２出力端子が負となる電圧が出力される態様の場合には、第１端子の電位よりも第２端子の電位の方が高い場合等において、基本的に第１及び第２のいずれの状態においても、第２端子→第２出力端子→第１出力端子→第１端子→第２端子→…と電流が流れ、被処理部位に正の電荷が蓄積されていた場合に、その電荷が放電される。
一方、第１の状態において第１出力端子が負で第２出力端子が正となる電圧が出力される態様の場合には、第１端子の電位よりも第２端子の電位の方が低い場合等において、基本的に第１及び第２のいずれの状態においても、第１端子→第１出力端子→第２出力端子→第２端子→第１端子→…と電流が流れ、被処理部位に負の電荷が蓄積されていた場合に、その電荷が放電される。
【００２８】
このように、この発明の口腔内放電装置では、被処理部位に正及び負のうちのいずれの電荷が蓄積されているということが予め判明している場合に、有効に、その電荷を放電することができる。
このようにして、この発明の口腔内放電装置では、基準部位と被処理部位との間の電位差が低くされ、その人体の健康の維持が図られる。
【００２９】
また、請求項４に係る発明の口腔内放電装置と同様に、各状態の時間帯が調整されることによって、放電速度を容易に調整することができる。
また、第１の状態の時間帯において必要以上に電流が流れて被処理部位に当初とは正負が逆の電荷が蓄積されることになった場合においても、第２の状態の時間帯において、それまでとは逆方向に電流が流れ、当該正負が逆の電荷が放電される。
【００３０】
このようにして、この発明の口腔内放電装置では、基準部位と被処理部位との間の電位差が低くされ、その人体の健康の維持が図られる。
【００３１】
請求項６に係る発明は、請求項１〜請求項５のいずれかに係る発明の口腔内放電装置であって、前記両端子間の電位差を表示する電位差表示手段を有する、口腔内放電装置である。
【００３２】
この発明の口腔内放電装置では、請求項１〜請求項５に係る発明の口腔内放電装置の作用効果に加えて、次の作用効果が得られる。
すなわち、この発明の口腔内放電装置では、第１端子と第２端子との間の電位差を表示する電位差表示手段を有しているため、放電手段による放電の前及び後において、その電位差表示手段によって両端子間の電位差が表示されることによって、放電手段による放電の効果（すなわち、基準部位と被処理部位との間の電位差の低下）を確認することができる。
【発明を実施するための最良の形態】
【００３３】
次に、本発明の一実施形態について図面に基づいて説明する。
図１に示すように、この口腔内放電装置は、筐体１０を有している。
筐体１０の外面には、スイッチ部２０，調整操作部３０，表示部４０が設けられている。
スイッチ部２０には、電源スイッチ２１，測定スイッチ２２，放電スイッチ２３，再測定スイッチ２４，最大値表示スイッチ２５がある。
調整操作部３０には、周波数調整部３１，放電時間調整部３２がある。
表示部４０には、放電前電圧表示部４１，放電前電流表示部４２，放電後電圧表示部４３，放電後電流表示部４４がある。
また、この口腔内放電装置は、電源コード１２，処理用コード１４を有している。
【００３４】
筐体１０の内部には、回路基板（図示省略）が設けられている。その回路基板には電気部品が設けられており、各電気部品は、回路基板の配線パターンで接続されている。
電源コード１２の基端部は、筐体１０内に設けられた電源回路（図示省略）に接続されている。その電源回路によって、所定の電源が各電気部品に供給される。
処理用コード１４は、２本のコード１４ａ，１４ｂからなり、各コード１４ａ，１４ｂの先端部には端子（第１端子１５ａ，第２端子１５ｂ）が設けられている。各コード１４ａ，１４ｂの基端部は、回路基板（回路基板に配設されているアンプ６１（後述））に接続されている。
【００３５】
図２に示すように、前述の回路基板に設けられた回路は、ＣＰＵ（中央演算処理装置）５０を有している。
ＣＰＵ５０には、スイッチ部２０の各スイッチ（測定スイッチ２２，放電スイッチ２３，再測定スイッチ２４，最大値表示スイッチ２５），調整操作部３０，表示部４０（いずれも図１に基づいて前述），記憶装置５２が接続されている。
第１端子１５ａ及び第２端子１５ｂは、各々、コード１４ａ，１４ｂを介してアンプ６１（入力側）に接続されており、アンプ６１（出力側）はＣＰＵ５０に接続されている。
第１端子１５ａとアンプ６１とを接続するコード１４ａは、第１スイッチ７１を介して接地されている。第１スイッチ７１は、ＣＰＵ５０の制御の下に開閉される。
アンプ６１（出力側）はトリガー検知器６４（入力側）にも接続され、トリガー検知器６４（出力側）はＣＰＵ５０に接続されている。
【００３６】
第２端子１５ｂとアンプ６１（入力側）とを接続するコード１４ｂには電線（符号省略）が接続され、その電線には、第２スイッチ７２，第３スイッチ７３が直列的に接続されている。
第２スイッチ７２は、ＣＰＵ５０の制御の下に開閉される。
第３スイッチ７３は、ＣＰＵ５０の制御の下に、ｃ側とａ側／ｂ側との接続を切り換える。
【００３７】
第３スイッチ７３のａ側には、基準抵抗６５を介してパルス発生器（電圧出力手段）６６の第２出力端子６６ｂ（後述）と接続されており、基準抵抗６５の両端部はアンプ６２（入力側）に接続されている。アンプ６２（出力側）はＣＰＵ５０に接続されている。
パルス発生器６６（入力側）には、アンプ６１（出力側）が接続されている。
【００３８】
パルス発生器６６は、第１出力端子６６ａ及び第２出力端子６６ｂを有している。第１出力端子６６ａは接地されている。第２出力端子６６ｂの電位は、通常は０Ｖとされている。そして、ＣＰＵ５０の制御の下に、両端子１５ａ，１５ｂ間の電位差（その正負を含む）に対応して、所定の電位のパルスが所定の時間、第２出力端子６６ｂから出力される。
【００３９】
すなわち、第１端子１５ａが接地された状態（第１スイッチ７１が閉状態）において第２端子１５ｂの電位が正の場合（第１端子１５ａの電位よりも第２端子１５ｂの電位の方が高い場合）には、パルス発生器６６の第２出力端子６６ｂから負の電位のパルスが出力される。すなわち、パルス発生器６６から、第１出力端子６６ａを正、第２出力端子６６ｂを負とするパルス状の電圧が出力される。
一方、同じく第２端子１５ｂの電位が負の場合には、パルス発生器６６の第２出力端子６６ｂから正の電位のパルスが出力される。すなわち、パルス発生器６６から、第１出力端子６６ａを負、第２出力端子６６ｂを正とするパルス状の電圧が出力される。
また、両端子１５ａ，１５ｂ間の電位差が大きい場合には、絶対値が大きい負／正の電位のパルス（パルス状の電圧）が出力され、両端子１５ａ，１５ｂ間の電位差が小さい場合には、絶対値が小さい負／正の電位のパルス（パルス状の電圧）が出力される。
【００４０】
第３スイッチ７３のｂ側は、パルス発生器（電圧出力手段）６７の第２出力端子６７ｂ（次述）に接続されている。
パルス発生器６７は、第１出力端子６７ａ及び第２出力端子６７ｂを有している。第１出力端子６７ａは接地されている。第２出力端子６７ｂの電位は、通常は０Ｖとされている。そして、ＣＰＵ５０の制御の下に、所定の時間の間（トータル時間）、間欠的に所定の時間ごと、両端子１５ａ，１５ｂ間の電位差（その正負を含む）に対応して、負又は正の電位のパルスが第２出力端子６７ｂから出力される。例えば、５秒〜１０分の間（トータル時間）、１０ミリ秒〜３００ミリ秒の周期で、約１０マイクロ秒の間ごと−１．５Ｖ又は１．５Ｖの電位のパルスが出力される。
【００４１】
すなわち、第１端子１５ａが接地された状態（第１スイッチ７１が閉状態）において第２端子１５ｂの電位が正の場合（第１端子１５ａの電位よりも第２端子１５ｂの電位の方が高い場合）には、パルス発生器６７の第２出力端子６７ｂから負の電位のパルスが出力される。すなわち、パルス発生器６７から、第１出力端子６７ａを正、第２出力端子６７ｂを負とするパルス状の電圧が出力される。
一方、同じく第２端子１５ｂの電位が負の場合には、パルス発生器６７から正の電位のパルスが出力される。すなわち、パルス発生器６７から、第１出力端子６７ａを負、第２出力端子６７ｂを正とするパルス状の電圧が出力される。
また、両端子１５ａ，１５ｂ間の電位差が大きい場合には、絶対値が大きい負／正の電位のパルス（パルス状の電圧）が出力され、両端子１５ａ，１５ｂ間の電位差が小さい場合には、絶対値が小さい負／正の電位のパルス（パルス状の電圧）が出力される。
【００４２】
トータル時間は、使用者が放電時間調整部３２（図１）を操作することによって調整され得る。周期（周波数）は、使用者が周波数調整部３１（図１）を操作することによって調整され得る。
なお、トータル時間は、両端子１５ａ，１５ｂ間の電位差に対応して、ＣＰＵによって自動的に制御されるようにされていてもよい。
また、１周期あたりの負／正のパルス状の電圧が出力される時間の割合（デューティ比）も、両端子１５ａ，１５ｂ間の電位差に対応して、ＣＰＵによって自動的に制御されるようにされていてもよい。
また、そのデューティ比については、トータル時間のうちの初期から終期に向かうにつれて徐々に低くなるようにされてもよい。
同様に、トータル時間のうちの初期から終期に向かうにつれて、パルス状の電圧（その絶対値）が徐々に小さくなるようにされてもよい。
【００４３】
次に、この口腔内放電装置の作用について説明する。
この口腔内放電装置は、非使用時には、第１スイッチ７１が開状態であり、第２スイッチ７２が開状態であり、第３スイッチ７３はａ側に接続されている（電圧測定モード）。
【００４４】
第１スイッチ〜第３スイッチ７１，７２，７３が上述の状態の下（電圧測定モード）において、使用者によって測定スイッチ２２が押下されることによって、この口腔内放電装置では、次のようにして、各端子１５ａ，１５ｂの接触の確認及び電圧の測定が行われる。
【００４５】
使用者によって、第１端子１５ａが口腔内の頬の内面に接触され、第２端子１５ｂが被処理部位である歯（その歯に配設された金属）に接触される。
その際、両端子１５ａ，１５ｂ間にコンデンサと抵抗が直列接続されている等価回路で示すことができる。その歯に正の電荷が蓄積している場合には、図２に示すように、そのコンデンサのうちの第１端子１５ａの側に負の電荷が蓄積し、第２端子１５ｂの側に正の電荷が蓄積した状態が対応する。
第１端子１５ａと第２端子１５ｂとの間の電位差に基づく信号がアンプ６１によって増幅され、その増幅された信号がアンプ６１から出力される。
【００４６】
その信号は、トリガー検知器６４によって検知される。
各端子１５ａ，１５ｂが前述の所定の部位に接触する前においては、両端子１５ａ，１５ｂ間において検出される電位差はゼロである。そして、各端子１５ａ，１５ｂが前述の所定の部位に接触することによって両端子１５ａ，１５ｂ間に所定以上の電位差が検出され、所定以上の大きさの信号が継続的にトリガー検知器６４に検知されることに基づいて、ＣＰＵ５０によって、各端子１５ａ，１５ｂが所定の部位に接触したことが認識される。
なお、金属が配設された歯（その金属）には、通常、頬の内面を基準に所定以上の電位差が生じている。
【００４７】
各端子１５ａ，１５ｂが所定の部位に接触していると判断された場合においては、両端子１５ａ，１５ｂ間の電位差に基づいてアンプ６１から出力される信号に基づいて、ＣＰＵ５０によって、両部位間の電圧が認識される（これが本発明の電位差判定手段に該当する）。そして、その電圧の値が、記憶装置５２に記憶されるとともに、放電前電圧表示部４１において表示される。
【００４８】
次に、第１スイッチ７１が閉状態とされ、第２スイッチ７２が閉状態とされる。第３スイッチ７３はａ側に接続した状態のままとされる（電流測定モード）。
そして、パルス発生器６６から、０Ｖをベースに、約１０マイクロ秒の間、例えば、−１．５Ｖ程度（第２端子１５ｂの電位が正の場合）又は１．５Ｖ（第２端子１５ｂの電位が負の場合）の電位のパルスが出力される。
【００４９】
これによって、第２端子１５ｂの電位が正の場合（歯に正の電荷が蓄積されている場合）、金属が配設された歯（第２端子１５ｂが接触された部位）→第２端子１５ｂ→第２スイッチ７２→第３スイッチ７３→基準抵抗６５→パルス発生器６６→ＧＮＤ配線パターン（接地されている）→第１スイッチ７１→第１端子１５ａ→頬の内面（第１端子１５ａが接触された部位）→金属が配設された歯（第２端子１５ｂが接触された部位）→…と電流が流れる。
一方、第２端子１５ｂの電位が負の場合（歯に負の電荷が蓄積されている場合）には、上述と逆に電流が流れる。
【００５０】
その際に、基準抵抗６５の両端において生ずる電位差に基づく信号がアンプ６２によって増幅され、その信号がＣＰＵ５０に入力される。
そして、ＣＰＵ５０において、その信号（基準抵抗６５を挟んだ電位差）及び基準抵抗６５の抵抗値に基づいて、両端子１５ａ，１５ｂ間に流れた電流が認識される。
その電流の値が、記憶装置５２に記憶されるとともに、放電前電流表示部４２において表示される。
【００５１】
次に、使用者によって放電スイッチ２３が押下されることによって、第１スイッチ７１，第２スイッチ７２は閉状態のままとされ、第３スイッチ７３は、ｂ側に接続するように切り換えられる（放電モード）。
そして、パルス発生器６７の第２出力端子６７ｂから、０Ｖをベースに、所定の時間の間（トータル時間）、間欠的に所定の時間ごと負／正の電位のパルスが出力される。例えば、５秒〜１０分の間（トータル時間）、１０ミリ秒〜３００ミリ秒の周期で、約１０マイクロ秒の間ごと、例えば、−１．５Ｖ程度（第２端子１５ｂの電位が正の場合）又は１．５Ｖ（第２端子１５ｂの電位が負の場合）の電位のパルスが出力される。
【００５２】
これによって、第２端子１５ｂの電位が正の場合（歯に正の電荷が蓄積されている場合）、金属が配設された歯（第２端子１５ｂが接触された部位）→第２端子１５ｂ→第２スイッチ７２→第３スイッチ７３→パルス発生器６７→ＧＮＤ配線パターン→第１スイッチ７１→第１端子１５ａ→頬の内面（第１端子１５ａが接触された部位）→金属が配設された歯（第２端子１５ｂが接触された部位）→…と電流が流れる。
一方、第２端子１５ｂの電位が負の場合（歯に負の電荷が蓄積されている場合）には、上述と逆に電流が流れる。
こうして、第２端子１５ｂが接触された歯（その金属）に蓄積された電荷が放電され、その歯（その金属）の電位がゼロ又はゼロに近い値となる。
以上のように電流が流れるようにする各電気部品等（電線を含む）が、本発明の放電手段に該当する。
【００５３】
なお、パルス発生器６７の第２出力端子６７ｂが接地されている時間帯においても、パルス発生器６７の第２出力端子６７ｂから負／正の電位のパルスが出力されている時間帯においても、上述のように電流が流れるが、パルス発生器６７の第２出力端子６７ｂから負／正の電位のパルスが出力されている時間帯の方が、上述の電気回路において多くの電流が流れ、速い速度で放電される。
このため、パルス発生器６７の第２出力端子６７ｂが連続的に接地されている（０Ｖの電位が出力される）場合でも、第２端子１５ｂが接触された歯から放電がされるが、その場合よりも、この実施形態のようにパルス発生器６７の第２出力端子６７ｂから間欠的に負／正の電位のパルスが出力される場合は速く放電される。
【００５４】
また、パルス発生器６７の第２出力端子６７ｂから連続的に負／正の電位が出力されると、この実施形態のように間欠的に負／正の電位が出力される場合よりも速く放電されるが、速すぎる場合もあり（出力される電位（その絶対値）の大きさにもよる）、人体に悪影響を及ぼす場合もあり得る。
以上のため、この実施形態では、０Ｖをベースに間欠的に負／正の電位が出力される（０Ｖと負／正の電位とが交互に切り換わる）ようにされているのである。こうして、人体に悪影響を与えるおそれがなく、かつ、迅速に、放電されるのである。
【００５５】
また、パルス発生器６７の第２出力端子６７ｂから負／正の電位が出力されている時間帯において、仮に過度に電流が流れた場合には、第２端子１５ｂが接触された歯に、当初とは逆の電荷（正負が逆の電荷）が蓄積される場合もあり得る。しかしながら、その場合は、パルス発生器６７の第２出力端子６７ｂが接地されている時間帯において、それまでとは逆の向きに電流が流れ、当該逆の電荷が放電される。
【００５６】
また、トータル時間において、その初期から終期に向かうにつれて徐々にデューティ比が小さくされたり、及び／又は、パルス状の電圧（その絶対値）が徐々に小さなものとされることによって、上述のように逆の電荷が蓄積される可能性がより低くなり、徐々に微調整のようにして放電が行われようになり、電位差がゼロ又はそれに近い値となる状態に向かってより適切に放電が行われることとなる。
【００５７】
次に、使用者によって再測定スイッチ２４が押下されることによって、まず、この口腔内放電装置は、再度、電圧測定モードとされる。すなわち、第１スイッチ７１は開状態とされ、第２スイッチ７２が開状態とされ、第３スイッチ７３は、ａ側に接続するように切り換えられる。
【００５８】
そして、第１端子１５ａと第２端子１５ｂとの間の電位差に基づく信号がアンプ６１によって増幅され、その信号に基づいて、ＣＰＵ５０によって、両部位間の電圧が認識される。そして、その電圧の値が、記憶装置５２に記憶されるとともに、放電後電圧表示部４３において表示される。
【００５９】
次に、この口腔内放電装置は、再度、電流測定モードとされる。すなわち、第１スイッチ７１が閉状態とされ、第２スイッチ７２が閉状態とされる。第３スイッチ７３はａ側に接続した状態のままとされる。
そして、前述と同様に、パルス発生器６６から、０Ｖをベースに、約１０マイクロ秒の間、例えば、−１．５Ｖ程度（第２端子１５ｂの電位が正の場合）又は１．５Ｖ（第２端子１５ｂの電位が負の場合）の電位のパルスが出力される。
これによって、第２端子１５ｂの電位が正の場合、金属が配設された歯（第２端子１５ｂが接触された部位）→第２端子１５ｂ→第２スイッチ７２→第３スイッチ７３→基準抵抗６５→パルス発生器６６→ＧＮＤ配線パターン（接地されている）→第１スイッチ７１→第１端子１５ａ→頬の内面（第１端子１５ａが接触された部位）→金属が配設された歯（第２端子１５ｂが接触された部位）→…と電流が流れる。一方、第２端子１５ｂの電位が負の場合には、上述とは逆に電流が流れる。
その際に、基準抵抗６５の両端において生ずる電位差に基づく信号がアンプ６２によって増幅され、その信号がＣＰＵ５０に入力され、ＣＰＵ５０において、両端子１５ａ，１５ｂ間に流れた電流が認識される。その電流の値が、記憶装置５２に記憶されるとともに、放電後電流表示部４４において表示される。
【００６０】
また、使用者によって、最大値表示スイッチ２５が押下されることによって、直近にリセットボタン（図示省略）が押下された後において、放電前及び放電後における電圧及び電流の値（記憶装置５２に記憶されている）のうちの各々最大の値が、放電前電圧表示部４１，放電前電流表示部４２，放電後電圧表示部４３，放電後電流表示部４４において表示される。
【００６１】
以上のように、この口腔内放電装置では、頬の内面を基準部位として、被処理部位である歯（その歯に配設された金属）の電圧が測定されるとともに、その歯（金属）に蓄積された電荷が放電される。
こうして、その歯（金属）の電圧の絶対値が低くされ、人体の健康の維持が図られる。
【００６２】
なお、上記のものはあくまで本発明の一実施形態にすぎず、当業者の知識に基づいて種々の変更を加えた態様で本発明を実施できることはもちろんである。
【００６３】
例えば、上記の実施形態においては、被処理部位に正負のいずれの電荷が蓄積されているか（第１端子１５ａと第２端子１５ｂのいずれの方が電位が高いか）が判断され、それに基づいてパルス発生器６７の第２出力端子６７ｂから正又は負のパルスが出力されるが、パルス発生器６７の第２出力端子６７ｂからは正及び負のうちの一方のパルスのみが出力されるような態様でもよい。この態様は、被処理部位に正負のいずれの電荷が蓄積されているかが予め判明している場合等に有効である。
【図面の簡単な説明】
【００６４】
【図１】本発明の一実施形態の口腔内放電装置の外観を示す斜視図である。
【図２】本発明の一実施形態の口腔内放電装置の電子回路を示すブロック図である。
【符号の説明】
【００６５】
１５ａ  第１端子
１５ｂ  第２端子
６７  パルス発生器（電圧出力手段）
６７ａ  第１出力端子
６７ｂ  第２出力端子
【図１】
2006255238.tif 000003
【図２】
2006255238.tif 000004